(57)【要約】【課題】ミスト発生用のノズルの数を多くする場合であっても、全体構造の複雑化を抑制し、また装置の組み立てなども比較的ラフに行なうことができ、製造に際しての歩留りも良くすることが可能なミスト発生装置を提供する。【解決手段】ミスト発生用のノズル４と、その前方および後方に位置する前壁部１０および後壁部２０を有する第１および第２の部材１，２と、を備えたミスト発生装置ＭＧであって、前壁部１０に形成されてノズル４の少なくとも前部寄り領域を嵌入させる凹部１２と、第２の部材２に設けられ、かつノズル４の後部の湯水流入口４４ａを避けた位置に当接してノズル４を凹部１２内に保持させる当接部２０ｃ’と、前壁部１０および後壁部２０の間に形成され、かつ内部にノズル４が位置するチャンバＣとを備えており、このチャンバＣ内に外部から湯水が供給されると、この湯水はノズル４の湯水流入口４４ａに流入する。【選択図】 図２
2008200259.tif 000002
【特許請求の範囲】
【請求項１】
前部にノズル口が形成されているとともに、後部には湯水流入口が形成され、かつこの湯水流入口に湯水が所定圧以上で流入したときに前記ノズル口から前記湯水のミストを噴射するように構成されたミスト発生用のノズルと、
このノズルの前方および後方に位置する前壁部および後壁部を有する第１および第２の部材と、を備えており、
前記第１の部材の前壁部には、前記ノズルのノズル口を前記前壁部の前方に臨ませるための開口部が形成されている、ミスト発生装置であって、
前記第１の部材の前壁部に形成され、かつ前記ノズルの少なくとも前部寄り領域を嵌入させる凹部と、
前記第２の部材に設けられ、かつ前記ノズルの後部の前記湯水流入口を避けた位置に当接して前記ノズルを前記凹部内に保持させる当接部と、
前記前壁部および後壁部の間に形成され、かつ内部に前記ノズルが位置するチャンバと、を備えており、
このチャンバ内に外部から湯水が供給されることにより、この湯水は前記ノズルの湯水流入口に流入するように構成されていることを特徴とする、ミスト発生装置。
【請求項２】
前記前壁部の背面には筒状の突起部が形成されて、この突起部の内部が前記凹部とされており、
前記後壁部の前面には、前記ノズルの湯水流入口に対面する箇所にスリットが形成されたリブが突設されており、このリブの先端面が前記当接部とされている、請求項１に記載のミスト発生装置。
【請求項３】
前記開口部の周縁部と前記ノズルの前向き面との間、または前記凹部の内周面と前記ノズルの外周面との間には、シール用のＯリングが介装されている、請求項１または２に記載のミスト発生装置。
【請求項４】
前記第１および第２の部材の支持手段として、前記第１および第２の部材に取り外し可能に装着されて床面上に載置される台座、前記第１および第２の部材の下部から突出して開脚した状態とこの状態よりも開脚度が小さい閉脚状態とに切り換え可能とされた複数の支持脚、前記第１および第２の部材の背面側に設けられ、かつそれらの背後に位置する壁面に吸着可能な吸盤、ならびに所望の壁部に取り付けられた支持部材に前記第１および第２の部材を支持させることが可能に前記支持部材に装着脱可能な取付け部のうち、少なくともいずれか１つを備えている、請求項１ないし３のいずれかに記載のミスト発生装置。
【発明の詳細な説明】
【技術分野】
【０００１】
本発明は、浴室やシャワールームなどにおいて湯水を霧状に噴出し、ミストによるサウナ効果、暖房効果、シャワー効果、あるいはその他の効果を得るのに使用されるミスト発生装置に関する。
【背景技術】
【０００２】
従来、この種のミスト発生装置の多くは、ミスト発生用のノズルが湯水供給管に連結された構造とされている（たとえば、特許文献１を参照）。前記ノズルは、その後部に形成されている開口部に湯水が一定圧以上で流入すると、この湯水を前部のノズル口から噴霧するように構成されている。
【０００３】
しかしながら、前記した構成によれば、１つのノズルには、１つの湯水供給管を連結する必要がある。したがって、ミストの発生量を多くすることを目的として、ノズルを多数設ける場合には、湯水供給管を多数の分岐管体に分岐させて、この分岐管体のそれぞれにノズルを連結する必要があり、湯水配管の構造が複雑となる。また、ノズルを多数の分岐管体に対して個々に連結する作業も煩雑となる。したがって、装置全体の製造コストが高価となる不具合がある。
【０００４】
一方、従来においては、特許文献２に記載されたミスト発生装置もある。このミスト発生装置においては、複数の凹部を形成している第１の部材と、複数の突起を有する第２の部材とが組み合わされることによって、これら第１および第２の部材どうしの間に湯水流路として機能するチャンバが形成されている。また、前記第２の部材の各突起が前記第１の部材の各凹部に嵌入され、これらが組み合わされることによりミスト発生用のノズル構造部が形成されている。このような構成によれば、前記チャンバ内に湯水を供給することにより、このチャンバから複数のノズル構造部の個々に湯水が供給される。したがって、湯水供給を行なうための構造を簡素にすることが可能である。
【０００５】
ところが、前記特許文献２に記載の手段において、湯水のミスト化を適切に図るには、前記凹部および凸部を所望の寸法および位置関係に正確に規定する必要がある。これらの位置関係が不正確であると、湯水のミスト化が困難となる。したがって、前記特許文献２に記載の手段においては、各部の寸法精度、とくに組み付け寸法精度をかなり高くしなければならず、このことに起因して製造コストが高くなり、また製造に際しての歩留りが悪くなる。
【０００６】
【特許文献１】特開２００３−７９５２７号公報
【特許文献２】特開平９−２２５０００号公報
【発明の開示】
【発明が解決しようとする課題】
【０００７】
本発明は、前記したような事情のもとで考え出されたものであって、ミスト発生用のノズルの数を多くする場合であっても、全体構造の複雑化を抑制して製造コストの低減化を図ることができ、また装置の組み立てなども比較的ラフに行なうことができ、製造に際しての歩留りも良くすることが可能なミスト発生装置を提供することをその課題としている。
【課題を解決するための手段】
【０００８】
上記の課題を解決するため、本発明では、次の技術的手段を講じている。
【０００９】
本発明により提供されるミスト発生装置は、前部にノズル口が形成されているとともに、後部には湯水流入口が形成され、かつこの湯水流入口に湯水が所定圧以上で流入したときに前記ノズル口から前記湯水のミストを噴射するように構成されたミスト発生用のノズルと、このノズルの前方および後方に位置する前壁部および後壁部を有する第１および第２の部材と、を備えており、前記第１の部材の前壁部には、前記ノズルのノズル口を前記前壁部の前方に臨ませるための開口部が形成されている、ミスト発生装置であって、前記第１の部材の前壁部に形成され、かつ前記ノズルの少なくとも前部寄り領域を嵌入させる凹部と、前記第２の部材に設けられ、かつ前記ノズルの後部の前記湯水流入口を避けた位置に当接して前記ノズルを前記凹部内に保持させる当接部と、前記前壁部および後壁部の間に形成され、かつ内部に前記ノズルが位置するチャンバと、を備えており、このチャンバ内に外部から湯水が供給されることにより、この湯水は前記ノズルの湯水流入口に流入するように構成されていることを特徴としている。
【００１０】
このような構成によれば、ミスト発生用のノズルは、第１の部材の凹部に嵌入され、またその後部が第２の部材の当接部に当接していることにより位置決めされ、第１および第２の部材間に適切に取り付けられる。さらに、ノズルに対する湯水の供給は、第１および第２の部材の前壁部と後壁部との間に形成されたチャンバを介して行なわれる。したがって、ノズルを支持し、かつこのノズルに湯水を供給するための手段として、湯水供給管をノズルに連結する必要はない。その結果、ノズルの数を多くする場合に、湯水供給管を多くの分岐管体に分岐させるといった必要もない。本発明においてノズルの数を多くする場合には、第１および第２の部材に形成される凹部や当接部の数を多くすればよいが、このような構成は、第１および第２の部材を樹脂成形するなどして容易に実現することが可能である。また、第２の部材の当接部を複数のノズルに当接させる場合には、それら複数のノズルに対して前記当接部を一括して当接させるといったことも可能であり、ノズルの取り付け作業も容易化される。このようなことから、装置の製造コストを廉価なものにすることが可能である。さらに、本発明によれば、第１および第２の部材の組み付け誤差に起因してミスト発生用のノズル自体の寸法に狂いが生じるようなことはない。したがって、特許文献２と比較すると、装置の組み立てなども比較的ラフに行なうことができ、製造に際しての歩留りも良い。
【００１１】
本発明の好ましい実施の形態においては、前記前壁部の背面には筒状の突起部が形成されて、この突起部の内部が前記凹部とされており、前記後壁部の前面には、前記ノズルの湯水流入口に対面する箇所にスリットが形成されたリブが突設されており、このリブの先端面が前記当接部とされている。
【００１２】
このような構成によれば、前記筒状の突起部の突出高さを高くすることによってその内部の凹部の深さを深くし、この凹部内にノズルを安定した状態に嵌入させることが可能となる。この場合、凹部の深さを深くする手段として、第１の部材の前壁部全体の厚みを大きくする必要はない。したがって、第１の部材の軽量化などを図るのに好適となる。また、前記構成によれば、ノズルの後部に当接する部分はリブとされているために、第２の部材の後壁部についても、その広い範囲を厚肉に形成する必要がなく、軽量化などを図るのに好適となる。
【００１３】
本発明の好ましい実施の形態においては、前記開口部の周縁部と前記ノズルの前向き面との間、または前記凹部の内周面と前記ノズルの外周面との間には、シール用のＯリングが介装されている。
【００１４】
このような構成によれば、第１の部材とノズルとの間の止水シールを図り、それら両者間の隙間を通過してチャンバ内の湯水が第１の部材の開口部に向けて漏出することが適切に防止される。
【００１５】
本発明の好ましい実施の形態においては、前記第１および第２の部材の支持手段として、前記第１および第２の部材に取り外し可能に装着されて床面上に載置される台座、前記第１および第２の部材の下部から突出して開脚した状態とこの状態よりも開脚度が小さい閉脚状態とに切り換え可能とされた複数の支持脚、前記第１および第２の部材の背面側に設けられ、かつそれらの背後に位置する壁面に吸着可能な吸盤、ならびに所望の壁部に取り付けられた支持部材に前記第１および第２の部材を支持させることが可能に前記支持部材に装着脱可能な取付け部のうち、少なくともいずれか１つを備えている。
【００１６】
このような構成によれば、浴室やその他の所望箇所にミスト発生装置を容易かつ適切に設置することができる。また、台座または支持脚については、これらを使用しないときにはこれらを取り外し、または閉脚状態とし、これらが嵩張らないようにすることができる。
【００１７】
本発明のその他の特徴および利点は、添付図面を参照して以下に行なう発明の実施の形態の説明から、より明らかになるであろう。
【発明を実施するための最良の形態】
【００１８】
以下、本発明の好ましい実施の形態について、図面を参照して具体的に説明する。
【００１９】
図１〜図８は、本発明が適用されたミスト発生装置の一例を示している。図１によく表われているように、本実施形態のミスト発生装置ＭＧは、本体部Ａ、この本体部Ａを起立状態に支持するための支持部Ｂを備えている。図２および図３によく表われているように、本体部Ａは、フロントパネル１、中間パネル２、リアパネル３、およびミスト発生用の複数のノズル４を備えている。本実施形態において、これら本体部Ａを構成する各部材はいずれも合成樹脂製とされている。また、フロントパネル１は、本発明でいう第１の部材の一例に相当し、中間パネル２は、本発明でいう第２の部材の一例に相当する。
【００２０】
フロントパネル１は、本体部Ａの前面部に相当する前壁部１０を有しており、この前壁部１０の背面には、略円筒状の複数の突起部１１が形成されている。この突起部１１の内部は、その先端側（図２およひ図３の右側）が開口した凹部１２となっている。この凹部１２にノズル４が嵌入される。前壁部１０のうち、各凹部１２に対応する箇所には、ノズル４のノズル口４０ａを本体部Ａの前方に向けて臨ませるための複数の開口部１３が設けられている。
【００２１】
ノズル４は、図４〜図６に表われているように、前部にノズル口４０ａが形成され、かつ後部に湯水流入口４４ａが形成されたものであり、湯水流入口４４ａからこのノズル４の内部に所定圧以上の湯水が流入すると、ノズル口４０ａからその湯水が霧状に噴出するようにされている。より具体的には、このノズル４は、ノズル口４０ａを先端に形成しているケーシング４０、このケーシング４０内に収容されたミストノズルチップ４１、このミストノズルチップ４１の後面に当接し、かつバネ４２の弾発力によってミストノズルチップ４１を前方に押圧する押圧体４３、およびバネ４２の後退を阻止する固定部材４４を備えている。固定部材４４は、ケーシング４０の後部内周に形成されたネジ部４０ｂに螺合することによりケーシング４０への取り付けられており、この固定部材４４に湯水流入口４４ａが貫通して形成されている。ミストノズルチップ４１は、先端寄りほど内径が小さくなるように形成された擂鉢状の空間部４１ａを形成したものであり、この空間部４１ａの先端側は、ノズル口４０ａに連通した開口部４１ｂとなっている。また、ミストノズルチップ４１の後端面には、図６に示すように、空間部４１ａの接線方向に延びてその一端が空間部４１ａに繋がった複数の凹溝４３ｃが形成されている。これら複数の凹溝４３ｃは、ミストノズルチップ４１の後方に向けて開口しているが、図４に示すように、ノズル４の組み立て状態においては、押圧体４３によってその開口部分は閉塞され、空間部４１ａの接線方向に延びた細い貫通孔となっている。このノズル４においては、湯水流入口４４ａからケーシング４０内に湯水が流入すると、この湯水は複数の凹溝４３ｃの一端から空間部４１ａに向けて流入するが、その流入方向は空間部４１ａの接線方向であるために、空間部４１ａにおいては高速旋回流が発生する。そして、このような高速旋回流が空間部４１ａの小径部に向けて進行し、開口部４１ｂから噴射される作用により、湯水の微粒子化が図られ、霧状となる。
【００２２】
ノズル４の外周面の先端寄りには、前向き面４７ａを形成する段部４７が設けられており、この段部４７の小径側の外周に弾性部材からなるシール用のＯリング４９が装着されている。図２（ａ）によく表われているように、ノズル４が凹部１２に嵌入される場合、前向き面４７ａと開口部１３の外周縁との間にＯリング４９が介装された状態に設定される。
【００２３】
中間パネル２は、フロントパネル１の前壁部１０および複数のノズル４の背後に位置する後壁部２０を有している。この後壁部２０は、図７に示すように、たとえば略長矩形のプレート状であるが、フロントパネル１に対面する前面部（図７の実線で示す中間パネル２の上面部に相当）は、その外周縁２０ａが他の内方領域よりも前方に突出した形態とされ、前記内方領域は、複数のリブ２０ｃが突設された凹状部２０ｂとなっている。後壁部２０の下部には、管体部９０が連結されており、この管体部９０から凹状部２０ｂに湯水を供給することが可能である。複数のリブ２０ｃは、複数のノズル４が凹部１２から脱出することを防止するための部分であり、複数のノズル４および凹部１２の配列に対応して設けられ、たとえばこの中間パネル２の長手方向に２列に並んで形成されている。ただし、これら複数のリブ２０ｃどうしの間には、後述するように、各ノズル４の湯水流入口４４ａを避けるための複数のスリット２０ｄが形成されている。
【００２４】
中間パネル２は、図７の実線で示す状態から同図仮想線で示す状態に反転されてフロントパネル１に取り付けられる。フロントパネル１の前壁部１０には、中間パネル２の外周縁２０ａに対応する枠状部１０ａが形成されており、これら枠状部１０ａ，２０ａどうしは互いに対面接触される。これら枠状部１０ａ，２０ａの間に止水シール用のパッキンを介装させた構成することもできる。図２に示すように、中間パネル２は、フロントパネル１に対してたとえばボルト９１を用いて取り付けられるが、この取り付け状態においては、複数のリブ２０ｃの先端が複数のノズル４の固定部材４４の後端面に当接した当接部２０ｃ’となっており、Ｏリング４９を適度に圧縮させるようにして複数のノズル４を前方に押圧している。各ノズル４の湯水流入口４４ａにはスリット２０ｄが対面しており、湯水流入口４４ａがリブ２０ｃによって塞がれないようにされている。一方、前壁部１０および後壁部２０の間のうち、枠状部１０ａ，２０ａによって囲まれた領域は、管体部９０から供給される湯水が流通するチャンバＣとして形成されている。このチャンバＣ内には、複数のノズル４が位置しており、このチャンバＣに流入した湯水は、各ノズル４の湯水流入口４４ａに流入可能である。
【００２５】
リアパネル３は、管体部９０の下端部を外部に露出させつつ、中間パネル２を覆うようにフロントパネル１の背面側に取り付けられている。このリアパネル３には、支持部Ｂおよび吸盤８０が取り付けられている。支持部Ｂは、台座８１と、リアパネル３の背面部に設けられたブラケット部８２とを有している。ブラケット部８２は、たとえば図８に示すように、台座８１の支柱８１ａを挿入可能な孔部８２ａを有している。この孔部８２ａに支柱８１ａを挿入させることにより、図１に示すように、本体部Ａを起立させた状態で浴室の床面上にミスト発生装置ＭＧを設置することが可能である。台座８１は、ブラケット部８２から支柱８１ａを抜き外すことにより、本体部Ａから取り外し可能である。このような構成によれば、たとえば本体部Ａを他の適当な手段を用いて浴室の壁面やその他の箇所に取り付けて使用する場合に、台座８１が邪魔にならないようにすることができる。吸盤８０は、浴室の壁面などに吸着可能であり、ミスト発生装置ＭＧの位置ずれ防止や、転倒防止に役立つ。
【００２６】
次に、ミスト発生装置ＭＧの作用について説明する。
【００２７】
まず、ミスト発生装置ＭＧを使用する場合には、たとえば図１に示すように、管体部９０の下端部を適当な配管部材８９を用いて浴室の混合栓８８に接続する。この混合栓８８から管体部９０に湯水を供給させると、図２に示したチャンバＣ内に湯水が流入する。すると、このチャンバＣ内の湯水は、各ノズル４の内部に湯水流入口４４ａから流入することとなり、各ノズル口４０ａおよびフロントパネル１の開口部１３からはその前方に向けて湯水が霧状に噴出し、多くのミストが発生する。このミストは、暖房効果、サウナ効果、あるいはシャワー効果などを生じさせる。
【００２８】
前記説明から理解されるように、このミスト発生装置ＭＧにおいては、複数のノズル４に対する湯水の供給は、チャンバＣを介して行なわれており、複数のノズル４の個々に対して１つずつ湯水供給管を接続する必要はない。したがって、配管構造が複雑となってその製作コストが高価になるといった不具合を好適に解消することができる。また、複数のノズル４は、フロントパネル１の凹部１２に嵌入され、かつ中間パネル２のリブ２０ｃが後部に当接した状態とされているために、適切な位置決め固定が図られる。加えて、それら複数のノズル４の取り付け固定は、チャンバＣを形成するフロントパネル１と中間パネル２とを利用して図られており、ノズル専用の取り付け部材を別途必要としない。したがって、全体の部品点数を少なくし、製造コストを低減するのにより好適なものとなる。さらに、複数のノズル４の取り付けを行なうには、複数のノズル４を複数の凹部１２内に嵌入させてから、フロントパネル１の背面側に中間パネル２を組み付けるだけよい。とくに、中間パネル２の組み付け時においては、複数のリブ２０ｃを複数のノズル４のそれぞれの後部に対して一斉に当接させることができる。したがって、複数のノズル４の取り付け作業も非常に容易となる。フロントパネル１に中間パネル２を組み付ける場合、各ノズル４の湯水流入口４４ａを塞がないようにリブ２０ｃを各ノズル４の後部に当接させる必要があるが、この点が守られている限りは、フロントパネル１と中間パネル２との組み付けに多少の誤差が生じたとしても、これに起因してミスト発生機能が損なわれることはない。さらに、リブ２０ｃの押圧力によってＯリング４９を適度に圧縮させることが可能であり、ノズル４の取り付け箇所から不当な湯水漏れが生じないようにすることもできる。
【００２９】
図９〜図１６は、本発明の他の実施形態を示している。これらの図において、前記実施形態と同一または類似の要素には、前記実施形態と同一の符号を付している。
【００３０】
図９に示す実施形態においては、管体部９０に開閉弁または流量調整弁としての電磁弁９０ａが取り付けられている。また、中間パネル２とリアパネル３との間の適当な箇所には、バッテリ（乾電池なども含む）を含む電力供給部９０ｂが設けられ、この電力供給部９０ｂから電磁弁９０ａの駆動用電力が得られるように構成されている。図面には示されていないが、電磁弁９０ａの動作を制御するためのスイッチが本体部Ａの適所、あるいは本体部Ａとは別体のリモコン装置に設けられている。このような構成によれば、たとえば浴室の混合栓を操作することなく、チャンバＣへの湯水の供給のオン・オフ、あるいはその供給量調整を行なうことができる。
【００３１】
図１０に示す実施形態においては、前記実施形態で用いられていた中間パネル２が用いられておらず、チャンバＣは、フロントパネル１の前壁部１０とリアパネル３の後壁部３０とによって形成されている。複数のノズル４に当接するリブ２０ｃは、リアパネル３の後壁部３０に突設されている。本実施形態によれば、中間パネル２を用いた前記実施形態よりも部品点数を少なくし、製造コストを廉価にすることが可能である。
【００３２】
図１１に示す実施形態においては、前記したノズル４とは構成が相違するノズル４Ａが用いられている。ノズル４Ａは、図１２および図１３に示すように、前部にノズル口４０ａを形成しているアウタ部材４５と、その内部に挿入されたインナ部材４６とを具備している。アウタ部材４５の先端寄り領域には、後部が開口し、かつ先端側ほど内径が小さくなる擂鉢状の空間部４５ａが形成されている。インナ部材４６の先端面には、その中心部の膨出円形領域４６ａに対して接線方向に延びる複数の凹溝４６ｂが形成されている。これら複数の凹溝４６ｂは、図６に示した複数の凹溝４３ｃと同様な態様である。インナ部材４６の先端面の一部は、アウタ部材４５の内壁面４５ｂに当接される。このことにより、複数の凹溝４６ｂは、空間部４５ａに対して接線方向に延びて繋がった孔部となっている。インナ部材４６の後部には、アウタ部材４５の内周面の凹状の係合部４５ｃに係合する凸状の係合部４６ｃが形成されており、これらの係合作用により、インナ部材４６はアウタ部材４５から容易に離脱しないように組み付けられている。また、インナ部材４６には、複数の湯水流入口４４ａが形成されており、この湯水流入口４４ａを通過してアウタ部材４５内に流入した湯水は、複数の凹溝４６ｂに流入するようになっている。このような構成のノズル４Ａにおいては、湯水流入口４４ａからアウタ部材４５内に湯水が所定圧以上で流入すると、その後にこの湯水が複数の凹溝４６ｂを通過して空間部４５ａに流入した際に高速旋回流が発生し、ノズル口４０ａからは湯水が霧状に噴出する。前記実施形態のノズル４と比較すると、全体の部品点数が少なく、製造コストを低減するのにより好適である。
【００３３】
ノズル４Ａの外周には、一対の環状突起４５ｅが形成されており、これらの間にＯリング４９が装着されている。図１１に示すように、ノズル４Ａが凹部１２に嵌入された状態においては、突起部１１の内周面とノズル４Ａの外周面との間にＯリング４９が介装されている。中間パネル２の複数のリブ２０ｃは、ノズル４Ａの後部に当接しているが、このリブ２０ｃは、たとえば図１２（ｂ）の仮想線に示すように、複数の湯水流入口４４ａを避けた配置とされている。もちろん、前記実施形態と同様に、リブ２０ｃにスリットを形成して湯水流入口４４ａを塞がないようにしてもよい。
【００３４】
本実施形態においては、チャンバＣ内に湯水を供給すると、このチャンバＣから各ノズル４Ａの湯水流入口４４ａに湯水が流入し、このノズル４のノズル口４０ａおよびフロントパネル１の開口部１３からその前方に向けて霧状に噴射する。したがって、ノズル４を用いた先の実施形態と同様な効果が得られる。また、Ｏリング４９によって好適な止水シールを図ることもできる。
【００３５】
図１４に示す実施形態においては、ノズル４の前部にその後方部分よりも小径の小径部４ａが形成されており、この小径部４ａが前壁部１０の開口部１３に嵌入していることによって、ノズル４の前部の位置決めが図られている。前述した実施形態の筒状の突起部１１に相当する手段は設けられていない。本発明においては、このように、ノズル４を前壁部１０の前方に臨ませるための開口部１３をノズル４の位置決め用の凹部とすることもできる。本発明でいう「ノズルの少なくとも前部寄り領域を嵌入させる凹部」とは、開口部１３とは別個に設けられている場合と、この開口部１３が兼用されている場合とのいずれであってもかまわない。
【００３６】
図１５に示す実施形態においては、本体部Ａを支持するための手段として、本体部Ａの下部に３組以上の支持脚８９が設けられている（ただし、図面においては、２組の支持脚８９のみを示している）。各組の支持脚８９は、本体部Ａに上端が回転可能に連結された主脚８９ａと、この主脚８９ａの長手方向中間部と本体部Ａの下端部とに両端部が回転可能に連結された補助脚８９ｂとが組み合わされて構成されており、同図（ａ）のように開脚した状態と、同図（ｂ）のように全体が本体部Ａと重なるように閉じた状態とに切り替え自在である。このような構成によれば、支持脚８９を開脚させて浴室の床面上に載置することにより、本体部Ａを起立させた姿勢に支持することができる。また、そのような必要がない場合には、支持脚８９を閉じて、この部分が邪魔にならないようにすることができる。
【００３７】
図１６に示す実施形態においては、本体部Ａがたとえば略円柱状に形成されているが、この本体部Ａの背面部には、取付け部７０が設けられている。この取付け部７０は、浴室などの所望の壁部７１にネジ止めなどによって固定して取り付けられた支持部材７２に対して着脱可能である。より具体的には、支持部材７２は、上下方向に延びるスライドガイドレールとして構成されており、壁部７１に当接する背面板７２ａおよびその前方に位置する一対の前壁板７２ｂを有し、これらの間にスリット部７２ｃを有する空間部７２ｄが形成されている。取付け部７０は、このような支持部材７２の空間部７２ｄに対してその上方からスライド嵌入可能な形態を有しており、この嵌入により支持部材７２に支持可能である。好ましくは、支持部材７２に対する取付け部７０の取り付け高さは、任意に調整できるようにされている。一方、本体部Ａの下部に対して着脱可能な台座７３が別途準備されている。本実施形態によれば、台座７３を用いることなく、支持部材７２および取付け部７０を利用して本体部Ａを壁部７１に取り付けた壁掛け状態、および支持部材７２を用いることなく、台座７３を利用して本体部Ａを支持する床置き状態のいずれか一方をユーザの要望に応じて適宜に選択できることとなり、好ましいものとなる。
【００３８】
本発明は、上述した実施形態に限定されない。本発明に係るミスト発生装置の各部の具体的な構成は、種々に設計変更自在である。
【００３９】
本発明でいう第１および第２の部材は、種々の形状、サイズに形成することが可能である。本発明においては、第１および第２の部材の組み合わせ形態として、たとえば湯水を非ミスト状に噴出する一般のハンドシャワーヘッドと同様な外観形態ならびにサイズとし、一般のハンドシャワーヘッドと同様な取り扱いが可能なものとすることもできる。本発明のミスト発生装置は、床面上に載置して使用されるものに限らず、ハンドシャワーヘッド用のフックに取り付けられて使用されるもの、シャワーヘッド用のスライドレールに取り付けられて使用されるもの、浴室の側壁にネジ止めなどにより固定されて使用されるもの、あるいは天井または天井付近に設置されて使用されるものなど、その具体的な設置形態や使用形態は問わない。天井または天井付近に設置される場合、ミストは下方または斜め下方に噴射されることとなる。したがって、このような場合には、本発明でいうノズルの前方および後方とは、ノズルの下方および上方を意味することとなる。
【００４０】
ミスト発生用のノズルとしては、前部にノズル口が形成され、かつ後部に湯水流入口が形成されたものであればよく、上述した実施形態のノズル４，４Ａとは異なる構造のものを用いることが可能である。また、本発明でいうノズルの後部とは、後端面に限らない。湯水流入口がノズルの後部の外周面に開口していてもよい。
【図面の簡単な説明】
【００４１】
【図１】本発明が適用されたミスト発生装置の一例を示す外観斜視図である。
【図２】（ａ）は、（ｂ）の要部拡大断面図であり、（ｂ）は、図１に示すミスト発生装置の一部省略断面図である。
【図３】図２（ｂ）の一部省略分解断面図である。
【図４】図１〜図３に示すミスト発生装置で用いられているミスト発生用のノズルを示す断面図である。
【図５】図４の分解断面図である。
【図６】図５に示されたミストノズルチップのVI−VI矢視側面図である。
【図７】図１〜図３に示すミスト発生装置の一部の構成部品の分解概略斜視図である。
【図８】図１〜図３に示すミスト発生装置の分解概略斜視図である。
【図９】本発明の他の例を示す要部断面図である。
【図１０】本発明の他の例を示す一部省略断面図である。
【図１１】本発明の他の例を示す要部断面図である。
【図１２】（ａ）は、図１１に示された構造で用いられているミスト発生用のノズルを示す断面図であり、（ｂ）は、その右側面図である。
【図１３】図１２に示すミスト発生用のノズルの分解断面図である。
【図１４】本発明の他の例を示す要部断面図である。
【図１５】（ａ），（ｂ）は、本発明の他の例を模式的に示す説明図である。
【図１６】本発明の他の例を示す概略説明図である。
【符号の説明】
【００４２】
ＭＧ      ミスト発生装置
Ａ        本体部
Ｂ        支持部
Ｃ        チャンバ
１        フロントパネル（第１の部材）
２        中間パネル（第２の部材）
４        ミスト発生用のノズル
１０      前壁部
１１      突起部
１２      凹部
１３      開口部
２０      後壁部
２０ｃ    リブ
２０ｃ’  当接部
４０ａ    ノズル口
４４ａ    湯水流入口
４９      Ｏリング
７３      台座
８０      吸盤
８１      台座
【図１】
2008200259.tif 000003
【図２】
2008200259.tif 000004
【図３】
2008200259.tif 000005
【図４】
2008200259.tif 000006
【図５】
2008200259.tif 000007
【図６】
2008200259.tif 000008
【図７】
2008200259.tif 000009
【図８】
2008200259.tif 000010
【図９】
2008200259.tif 000011
【図１０】
2008200259.tif 000012
【図１１】
2008200259.tif 000013
【図１２】
2008200259.tif 000014
【図１３】
2008200259.tif 000015
【図１４】
2008200259.tif 000016
【図１５】
2008200259.tif 000017
【図１６】
2008200259.tif 000018